(57)【要約】      （修正有）【課題】口径の大きさが異なる２種の注入器を挿入設置して使用できる痰吸引管に用いるカテーテル洗浄ジョイント構造を提供する。【解決手段】痰吸引管に用いるカテーテル洗浄ジョイント１構造は、２種の口径の注入器を組合せて接続することができ、管本体１０、管ジョイント１１からなり、管本体１０内は中空状を呈し、接続口端１０１を備え、管本体１０内には逆流止め弁１２を設置し、管ジョイント１１は管本体１０の接続口端１０１上に嵌めて設置し、管ジョイント１１上には接続口部１１０を備え、接続口部１１０内には接続口１１１を形成し、これにより管本体１０内と相互に通じ、逆流止め弁１２は管本体１０内より接続口１１１において弾性で押し上げ、接続口１１１の口径とある口径の注入器とは対応し、接続口部１１０の外径はまた別のある口径の注入器と対応する。【選択図】図２
0003170434.tif 000002
【実用新案登録請求の範囲】
【請求項１】
痰吸引管に用いるカテーテル洗浄ジョイント構造は、２種の口径の注入器を組合せて接続することができ、管本体、管ジョイントからなり、
該管本体内は、中空状を呈し、接続口端を備え、しかも該管本体内には、逆流止め弁を設置し、
該管ジョイントは、該管本体の接続口端上に嵌めて設置し、しかも該管ジョイント上には、接続口部を備え、該接続口部内には、接続口を形成し、これにより該管本体内と相互に通じ、該逆流止め弁は該管本体内より、該接続口において弾力で押し上げ、
該接続口の口径は、ある口径の注入器と対応し、該接続口部の外径は、また別のある口径の注入器と対応したことを特徴とする痰吸引管に用いるカテーテル洗浄ジョイント構造。
【請求項２】
前記管本体はさらに、該接続口端と相対して離れ設置するカテーテル接続端を備え、これによりカテーテルに連接したことを特徴とする請求項１に記載の痰吸引管に用いるカテーテル洗浄ジョイント構造。
【請求項３】
前記逆流止め弁は、弾性部品により該接続口において押し上げられたことを特徴とする請求項１に記載の痰吸引管に用いるカテーテル洗浄ジョイント構造。
【請求項４】
前記接続口の口径は、3.85mm~3.90mmの範囲であることを特徴とする請求項１に記載の痰吸引管に用いるカテーテル洗浄ジョイント構造。
【請求項５】
前記接続口部の外径は、6.5mm~7mmの範囲であることを特徴とする請求項１或いは４に記載の痰吸引管に用いるカテーテル洗浄ジョイント構造。
【請求項６】
前記接続口部は、該管ジョイント上において階段状を呈したことを特徴とする請求項５に記載の痰吸引管に用いるカテーテル洗浄ジョイント構造。
【請求項７】
前記接続口部は、該管ジョイント上において階段状を呈したことを特徴とする請求項１に記載の痰吸引管に用いるカテーテル洗浄ジョイント構造。
【請求項８】
前記接続口部上にはさらに、蓋を設置したことを特徴とする請求項１に記載の痰吸引管に用いるカテーテル洗浄ジョイント構造。
【請求項９】
前記蓋は、フレキシブルベルトにより該管ジョイントに連接したことを特徴とする請求項８に記載の痰吸引管に用いるカテーテル洗浄ジョイント構造。
【考案の詳細な説明】
【技術分野】
【０００１】
本考案は医療器材に関し、特に痰吸引管に用いるカテーテル洗浄ジョイント構造に関する。
【背景技術】
【０００２】
図１に示すように、従来の痰吸引管(図示なし)に用いるカテーテル洗浄ジョイント1aにおいて、該カテーテル洗浄ジョイント1aは、管本体10a、及び該管本体10a一端上に設置する管ジョイント11aからなり、該管ジョイント11a上には、該管本体10a内部と相互に通じる接続口110aを設置する。
該管本体10a反対端は、痰吸引管上に連接し、管本体10a内には、該接続口110aに接触する逆流止め弁(図示なし)を設置し、痰吸引管内の汚物が逆流し、接続口110aから漏れ出さないよう防止することができる。
但し、該接続口110aからは、薬剤等の液体を注入し、痰吸引管内部に対して洗浄或いは消毒等を行うことができる。
薬剤を注入しようとする時には、シリンジ等注入器により適量の薬剤を吸引し、次に、接続口110aに該薬剤を挿入し、カテーテル洗浄ジョイント1aにより痰吸引管内へと注入する。
【０００３】
しかし、従来のカテーテル洗浄ジョイント1aは、ある口径サイズの注入器(図示なし)しか、その接続口110aに挿入することはできない。
該接続口110a口径は3.85mm~3.90mmであるため、それ以外の、口径がそれより大きい注入器を使用することはできず、使用においての制限となっている。
同時に、一般のカテーテル洗浄ジョイント1aは、市販の注入器等に対応しており、そのサイズ規格を随時変更することはできない。
本考案は、従来の痰吸引管に用いるカテーテル洗浄ジョイント構造の上記した欠点に鑑みてなされたものである。
【先行技術文献】
【特許文献】
【０００４】
【特許文献１】特開平７−２５５８５４号公報
【考案の概要】
【考案が解決しようとする課題】
【０００５】
本考案が解決しようとする課題は、口径の大きさが異なる２種の注入器を挿入設置して使用でき、カテーテル洗浄ジョイントの注入器挿入設置における適用性と使用の利便性を向上させることができる痰吸引管に用いるカテーテル洗浄ジョイント構造を提供することである。
【課題を解決するための手段】
【０００６】
上記課題を解決するため、本考案は下記の痰吸引管に用いるカテーテル洗浄ジョイント構造を提供する。
本考案は下記の特徴を有する。
（１）痰吸引管に用いるカテーテル洗浄ジョイント構造は、２種の口径の注入器を組合せて接続することができ、
管本体、及び管ジョイントからなり、
該管本体内は、中空状を呈し、接続口端を備え、しかも該管本体内には、逆流止め弁を設置し、
該管ジョイントは、該管本体の接続口端上に嵌めて設置し、しかも該管ジョイント上には、接続口部を備え、
該接続口部内には、接続口を形成し、これにより該管本体内と相互に通じ、該逆流止め弁は該管本体内より接続口において弾性で押し上げ、
該接続口の口径は、ある口径の注入器と対応し、該接続口部の外径は、また別のある口径の注入器と対応する。
（２）前記管本体はさらに、該接続口端と相対して離れ設置するカテーテル接続端を備え、これによりカテーテルに連接したことを特徴とする。
（３）前記逆流止め弁は、弾性部品により該接続口において押し上げられたことを特徴とする。
（４）前記接続口の口径は、3.85mm~3.90mmの範囲であることを特徴とする。
（５）前記接続口部の外径は、6.5mm~7mmの範囲であることを特徴とする。
（６）前記接続口部は、該管ジョイント上において階段状を呈したことを特徴とする。
（７）前記接続口部は、該管ジョイント上において階段状を呈したことを特徴とする。
（８）前記接続口部上にはさらに、蓋を設置したことを特徴とする。
（９）前記蓋は、フレキシブルベルトにより該管ジョイントに連接したことを特徴とする。
【考案の効果】
【０００７】
本考案の痰吸引管に用いるカテーテル洗浄ジョイント構造は、口径の大きさが異なる２種の注入器を挿入設置して使用できるため、カテーテル洗浄ジョイントの注入器挿入設置における適用性と使用の利便性を向上させることができる。
【図面の簡単な説明】
【０００８】
【図１】従来のカテーテル洗浄ジョイントの外観模式図である。
【図２】本考案の立体分解模式図である。
【図３】本考案の立体組合せ模式図である。
【図４】本考案の組合せ断面模式図である。
【図５】本考案に、ある口径の注入器を挿入して対応させる前の模式図である。
【図６】本考案に、ある口径の注入器を挿入して対応させた後の模式図である。
【図７】本考案に、また別のある口径の注入器を挿入して対応させる前の模式図である。
【図８】本考案に、また別のある口径の注入器を挿入して対応させた後の模式図である。
【考案を実施するための形態】
【０００９】
以下に図面を参照しながら本考案を実施するための最良の形態について詳細に説明する。
【実施例】
【００１０】
図２、３は、それぞれ本考案の立体分解模式図及び立体組合せ模式図である。
【００１１】
本考案痰吸引管に用いるカテーテル洗浄ジョイント構造は、２種の口径の注入器2、3(図６、８参照)を組み合わせて接続し、該カテーテル洗浄ジョイント1の注入器挿入設置における適用性を拡大することができる
【００１２】
該カテーテル洗浄ジョイント1は、管本体10、及び管ジョイント11からなる。
【００１３】
該管本体10内は、中空状を呈し、カテーテル接続端100及び接続口端101を備える。
【００１４】
該カテーテル接続端100と該接続口端101とは、相対して離れた状態で設置し、共に該管本体10内部と相互に通じ、該管本体10内には、逆流止め弁12を設置する。
【００１５】
この他、管本体10のカテーテル接続端100により、カテーテル13に連接し、さらに該カテーテル洗浄ジョイント1を、痰吸引管(図示なし)に連接する。
【００１６】
該管ジョイント11は、該管本体10の接続口端101上に嵌めて設置し、しかも該管ジョイント11上には、階段状(すなわち、外径がより小さい)を呈する接続口部110を備え、該接続口部110内には、接続口111を形成する。
【００１７】
該管ジョイント11を、接続口端101上に嵌めて設置すると、該接続口111は、該管本体10内部と相互に通じ、こうして該逆流止め弁12は、管本体10内側より、該接続口111において弾力で押し上げる(図４参照)。
【００１８】
本考案の実施例中において、逆流止め弁12は、弾性部品120により接続口111において押し上げられ、これにより該弾性部品120は弾性を提供し、こうして逆流止め弁12は、外力を受けなければ、常態的に接続口111を閉鎖する。
【００１９】
また、該管ジョイント11の接続口部110上にはさらに、蓋112を設置し、該蓋112フレキシブルベルト113により、該管ジョイント11に連接する。
【００２０】
カテーテル洗浄ジョイント1を使用しない時には、該フレキシブルベルト113を湾曲させ、該蓋112により接続口部110に蓋をし、該接続口111を塞ぐ。
【００２１】
上記した構造の組成により、本考案痰吸引管に用いるカテーテル洗浄ジョイント構造を構成することができる。
【００２２】
図５、６は、ある口径の注入器2と上記したカテーテル洗浄ジョイント1が相互に対応する様子を示す模式図。
【００２３】
該カテーテル洗浄ジョイント1の接続口111の口径dは、3.85mm~3.90mmの範囲で、該注入器2末端には、注入口20を備える。
【００２４】
該注入口20の口径d’は、該接続口111の口径dとちょうど対応するため、該注入器2の注入口20を挿入後は逆流止め弁12を押す。
【００２５】
こうして、該接続口111を開き、該管本体10内部と相互に通じる状態とし、こうして該注入器2内の薬剤を該カテーテル洗浄ジョイント1により痰吸引管(図示なし)へと送り込むことができる。
【００２６】
さらに、図７、８は、また別のある口径の注入器3と該カテーテル洗浄ジョイント1が相互に対応する様子を示す模式図である。
【００２７】
該カテーテル洗浄ジョイント1の接続口部110は、階段状の設計を通して、該接続口部110の外径Dを6.5mm~7mmの範囲とし、これによりまた別のある口径の注入器3を挿入して設置でき、該注入器3末端には、注入口30を備える。
【００２８】
該注入口30の口径D’は、該接続口部110の外径Dと対応するため、該注入器3の注入口30を挿入後は逆流止め弁12を押し、こうして該接続口111を開き、該管本体10内部と相互に通じる状態とすることができる。
【００２９】
こうして同様に、該注入器3内の薬剤を、該カテーテル洗浄ジョイント1により痰吸引管(図示なし)へと送り込むことができる。
【００３０】
よって、本考案痰吸引管に用いるカテーテル洗浄ジョイント構造は、２種の口径の注入器2、3を組合せて接続でき、これにより該カテーテル洗浄ジョイント1への注入器2、3挿入設置上の適用範囲を拡大することができ、こうして単一口径の注入器の使用に限定されることはなくなり、しかも既存のサイズ規格に縛られることもなく、また現行の注入器を使用することもできる。
【００３１】
上記の本考案名称と内容は、本考案技術内容の説明に用いたのみで、本考案を限定するものではない。本考案の精神に基づく等価応用或いは部品(構造)の転換、置換、数量の増減はすべて、本考案の保護範囲に含むものとする。
【産業上の利用可能性】
【００３２】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００３３】
1a  カテーテル洗浄ジョイント
10a  管本体
11a  管ジョイント
110a  接続口
1  カテーテル洗浄ジョイント
10  管本体
100  カテーテル接続端
101  接続口端
11  管ジョイント
110  接続口部
111  接続口
112  蓋
113  フレキシブルベルト
12  逆流止め弁
120  弾性部品
13  カテーテル
2  注入器
20  注入口
3  注入器
30  注入口
【図１】
0003170434.tif 000003
【図２】
0003170434.tif 000004
【図３】
0003170434.tif 000005
【図４】
0003170434.tif 000006
【図５】
0003170434.tif 000007
【図６】
0003170434.tif 000008
【図７】
0003170434.tif 000009
【図８】
0003170434.tif 000010